(57)【特許請求の範囲】
【請求項１】
電子回路部品が実装された主回路基板等を収納する本体部と、液晶表示装置を収納する表示部と、前記表示部に設けられる機能拡張部品と、前記主回路基板と前記液晶表示装置との間および前記主回路基板と前記機能拡張部品との間の信号伝達を行う回路パターン部を有するフレキシブルプリント基板（以下ＦＰＣと称する）とを備え、
前記主回路基板と前記液晶表示装置との間の信号伝達を行う回路パターン部と、前記主回路基板と前記機能拡張部品との間の信号伝達を行う回路パターン部との間に切り離し可能な連結部を設け、
前記主回路基板と前記機能拡張部品間は前記連結部が切り離された状態で接続され、前記表示部に機能拡張部品が付加されない状態では前記両回路パターン部間は連結部により連結されていることを特徴とする携帯型電子機器。
【請求項２】
機能拡張部品は、表示部に付加されるタッチパネル、または、低温時に液晶表示装置のバックライト用蛍光管を暖めるヒーターであることを特徴とする請求項１に記載の携帯型電子機器。
【発明の詳細な説明】
【０００１】
【発明の属する技術分野】
本発明は、ワープロやノート型パソコン等の携帯型電子機器に関し、詳しくは、本体部内の主回路基板と液晶表示装置等との信号伝達用にＦＰＣを用いた携帯型電子機器に関する。
【０００２】
【従来の技術】
従来、ワープロやノート型パソコン等の液晶表示装置等が収納された表示部を有する携帯型電子機器では、標準モデルと、液晶表示装置にタッチパネルが付いたモデル、液晶表示装置のバックライト用蛍光管を低温時に暖めるためのヒーターが付いたモデルなど、モデル毎にこれらの機能拡張部品を付加していた。しかし、こうすることによりモデルの種類が増えてしまい、生産効率が低下していた。このため、標準モデルを生産し、要望に応じて改造し、機能拡張部品をオプションとして後から取り付ける方法が行われるようになってきている。
【０００３】
以下、従来の携帯型電子機器について、図を用いて説明する。
図４は携帯型電子機器であるノート型パソコンの外観図、図５は従来のノート型パソコン内部に配置されたＦＰＣの配線図である。図において、１はノート型パソコンの本体部、２は液晶表示装置３が収納される表示部で、回動可能に本体部１に取り付けられている。本体部１の内部には、ＣＰＵ等の電子回路部品が実装された主回路基板４が収納されており、表示部２の内部には、液晶表示装置３の他に、バックライト用蛍光管（図示せず）を点灯させるためのインバータ５が収納されている。また、６はタッチパネル、７は低温時にバックライト用蛍光管を暖めるヒーターであり、いずれもオプションとして付加される機能拡張部品である。１１、１２、１３は信号伝達用のＦＰＣで、それぞれ接続部１１ａ、１２ａ、１３ａで主回路基板４と電気的に接続されており、ＦＰＣ１１は、液晶表示装置３に接続部１１ｂ、インバータ５に接続部１１ｃ、ＦＰＣ１２は、タッチパネル６に接続部１２ｂ、ＦＰＣ１３はヒーター７に接続部１３ｂでそれぞれ電気的に接続されている。ＦＰＣ１１は取り付け部１１ｄで、ＦＰＣ１２とＦＰＣ１３は図示しない取り付け部材によってそれぞれ表示部２に固定される。
【０００４】
このように構成された従来のノート型パソコンにおいて、標準モデルにはタッチパネル６やヒーター７は付加されておらず、ＦＰＣ１２およびＦＰＣ１３も接続されていない。そして、この標準モデルに、要望に応じて、タッチパネル６あるいはヒーター７、または両方が付加される。
【０００５】
【発明が解決しようとする課題】
このような従来のノート型パソコンにおいて、付加機能であるタッチパネル６やヒーター７を付加する場合には、タッチパネル６とヒーター７の各々に専用の信号伝達用のＦＰＣ１１やＦＰＣ１２が必要となり、これらの部材を介して接続することになる。
【０００６】
また、ＦＰＣ１１やＦＰＣ１２をノート型パソコンに組み込むため、取り付け部材等も必要になり、後から付加する際には、表示部２だけでなく本体部１も分解する必要があり、工数も多くかかる。
【０００７】
このように従来のノート型パソコンでは、各機能拡張部品専用の信号伝達部材が必要であり、分解、組み立ても大変であった。
【０００８】
本発明は、上記課題を解決するもので、タッチパネルやヒーター等の機能拡張部品の付加が容易で工数や取り付け部材等も必要とせず、拡張性にすぐれた携帯型電子機器を提供することを目的とする。
【０００９】
【課題を解決するための手段】
この課題を解決するために本発明の携帯型電子機器は、内蔵するＦＰＣに、機能拡張用の回路パターン部を予め具備し、主回路基板と液晶表示装置を接続する回路パターン部と細い部分でつなぐようにしたものである。
【００１０】
これにより、機能拡張部品を付加する際には容易に切り離すことができ、また使用しない場合も組み立ての邪魔にならず、本体内で動くことによる安全性の問題が発生することのない、携帯型電子機器を提供することができる。
【００１１】
【発明の実施の形態】
本発明は、電子回路部品が実装された主回路基板等を収納する本体部と、液晶表示装置を収納する表示部と、前記表示部に設けられる機能拡張部品と、前記主回路基板と前記液晶表示装置との間および前記主回路基板と前記機能拡張部品との間の信号伝達を行う回路パターン部を有するフレキシブルプリント基板（以下ＦＰＣと称する）とを備え、前記主回路基板と前記液晶表示装置との間の信号伝達を行う回路パターン部と、前記主回路基板と前記機能拡張部品との間の信号伝達を行う回路パターン部との間に切り離し可能な連結部を設け、前記主回路基板と前記機能拡張部品間は前記連結部が切り離された状態で接続され、前記表示部に機能拡張部品が付加されない状態では前記両回路パターン部間は連結部により連結されていることを特徴とする携帯型電子機器であり、機能拡張部品を付加する際には回路パターン部間を切り離すことにより、容易に付加することができ、機能拡張部品を付加しない場合は回路パターン部間を連結した状態にしておくことにより、使用しない機能拡張部品用の回路パターン部が組み立ての際邪魔にならず、また、移動しないため、電気的に安全性を保つことができる。
【００１５】
以下、本発明の実施の形態について、図１から図３を用いて説明する。
（実施の形態１）
図１は本発明の一実施の形態の携帯型電子機器であるノート型パソコン内部に配置されたＦＰＣの配線図、図２はＦＰＣの取り付け前の展開図、図３は標準モデル内部に配置されたＦＰＣの配線図である。図において、従来例と同じ機能のものは同一の番号を付し、説明を省略する。８はＦＰＣで接続部８ａで主回路基板４、液晶表示装置３に接続部８ｂ、インバータ５に接続部８ｃでそれぞれ電気的に接続されている。また、ＦＰＣ８は、タッチパネル６に接続部８ｄ、ヒーター７に接続部８ｅでも電気的に接続されている。また、ＦＰＣ８は取り付け部８ｆによって表示部２に取り付けられる。ＦＰＣ８の取り付け前は、図２に示すような形状となっており、複数の連結部８ｇにより、主回路基板４と液晶表示装置３との信号伝達用の回路パターン部８ｈと、主回路基板４とタッチパネル６およびヒーター７との信号伝達用の回路パターン部８ｉ、８ｊがつながっている。
【００１６】
以上のように構成された本発明のノート型パソコンにおいて、標準モデルにはタッチパネル６やヒーター７は付加されておらず、ＦＰＣ１２およびＦＰＣ１３も接続されていない。そして、この標準モデルに、要望に応じて、タッチパネル６あるいはヒーター７、または両方が付加される。
【００１７】
タッチパネル６とヒーター７の両方を付加する場合、ＦＰＣ８の配線時に連結部８ｇを手で切り離し、必要な方向に折り曲げ、接続部８ａから８ｅを主回路基板４、液晶表示装置３、インバータ５、タッチパネル６およびヒーター７に接続させる。
【００１８】
このように、ＦＰＣは１つだけでよく、タッチパネル６やヒーター７を付加する際にはＦＰＣの一部を切り離すことにより、容易に付加することができる。また、このためのＦＰＣの取り付け部材等も不要になる。また、後から付加する際の分解作業は表示部に対してだけでよく、本体部に対しては行う必要がない。
【００１９】
また、図３に示すように、タッチパネルやヒーターを付加しない標準モデルの場合、ＦＰＣ８は、連結部８ｇを切り離さず、接続部８ａ、８ｂ、８ｃのみを主回路基板４、液晶表示装置３、インバータ５にそれぞれ接続する。この時、タッチパネル用回路パターン部８ｉおよびヒーター用回路パターン部８ｊは連結部８ｇにて、回路パターン部８ｈとつながっているため、バラけて組み立ての邪魔や、移動して、電気的に他の部品と接触したりすることによる安全性の問題は起こらない。
【００２０】
【発明の効果】
以上のように本発明によれば、タッチパネルや低温動作用ヒーターなど機能拡張のためのオプションを付加する際、信号伝達部材や取り付け部材を追加することなく表示部の分解のみで容易に行うことができ、機能拡張性に優れた携帯型電子機器を提供することができる。
【図面の簡単な説明】
【図１】本発明の一実施の形態の携帯型電子機器であるノート型パソコン内部に配置されたＦＰＣの配線図
【図２】本発明の一実施の形態の携帯型電子機器のＦＰＣの取り付け前の展開図
【図３】本発明の一実施の形態によるノート型パソコンの標準モデル内部に配置されたＦＰＣの配線図
【図４】ノート型パソコンの外観図
【図５】従来のノート型パソコン内部に配置されたＦＰＣの配線図
【符号の説明】
１  本体部
２  表示部
３  液晶表示装置
４  主回路基板
５  インバータ
６  タッチパネル
７  ヒーター
８  ＦＰＣ
８ａ、８ｂ、８ｃ、８ｄ、８ｅ  接続部
８ｇ  連結部
８ｈ、８ｉ、８ｊ  回路パターン部
【図１】
0004144085.tif 000002
【図２】
0004144085.tif 000003
【図３】
0004144085.tif 000004
【図４】
0004144085.tif 000005
【図５】
0004144085.tif 000006